(57)【要約】【課題】縮尺された寸法を読取って実寸で容易に表示することができる小型の電子スケールを提供する。【解決手段】スケール本体２と、スケール本体２に回転自在に設けられるローラ３と、スケール本体２の外周部に設けられる表示部４と、電源部５と、スケール本体２内に内蔵され、表示部４及び電源部５に接続される演算制御部６と、演算制御部６に接続されると共にローラ３の回転量を測定するローラ回転量測定部７と、スケール本体２の外周部に設けられると共に縮尺を設定する１乃至複数の縮尺設定キー８とを備え、寸法測定を行なう時、測定対象部位上でローラ３を回転させると、ローラ３の回転量をローラ回転量測定部７が測定し、その測定値と、縮尺設定キー８により設定された縮尺とに基づき演算制御部６によって実寸を演算し、実寸を表示部４に表示するように構成されている電子スケール１を提供する。【選択図】図１
0003135176.tif 000002
【実用新案登録請求の範囲】
【請求項１】
スケール本体と、前記スケール本体に回転自在に設けられるローラと、前記スケール本体の外周部に設けられる表示部と、電源部と、前記スケール本体内に内蔵され、前記表示部及び電源部に接続される演算制御部と、前記演算制御部に接続されると共に前記ローラの回転量を測定するローラ回転量測定部と、前記スケール本体の外周部に設けられると共に前記演算制御部に接続され、縮尺を設定する１乃至複数の縮尺設定キーとを備え、寸法測定を行なう時、測定対象部位上で前記ローラを回転させると、前記ローラの回転量を前記ローラ回転量測定部が測定し、その測定値と、前記縮尺設定キーにより設定された縮尺とに基づき前記演算制御部によって実寸を演算し、前記実寸を前記表示部に表示するように構成されていることを特徴とする電子スケール。
【請求項２】
スケール本体と、前記スケール本体に回転自在に設けられるボールと、前記スケール本体の外周部に設けられる表示部と、電源部と、前記スケール本体内に内蔵され、前記表示部及び電源部に接続される演算制御部と、前記演算制御部に接続されると共に前記ボールの回転変化量を測定するボール回転変化量測定部と、前記スケール本体の外周部に設けられると共に前記演算制御部に接続され、縮尺を設定する１乃至複数の縮尺設定キーとを備え、寸法測定を行なう時、測定対象部位上で前記ボールを回転させると、前記ボールの回転変化量を前記ボール回転変化量測定部が測定し、その測定値と、前記縮尺設定キーにより設定された縮尺とに基づき前記演算制御部によって実寸を演算し、前記実寸を前記表示部に表示するように構成されていることを特徴とする電子スケール。
【請求項３】
スケール本体と、前記スケール本体に設けられる赤外線又はレーザ発光・受光部と、前記スケール本体の外周部に設けられる表示部と、電源部と、前記スケール本体内に内蔵され、前記表示部及び電源部に接続される演算制御部と、前記スケール本体の外周部に設けられると共に前記演算制御部に接続され、縮尺を設定する１乃至複数の縮尺設定キーとを備え、寸法測定を行なう時、測定対象部位上で前記赤外線又はレーザ発光・受光部を移動させると、前記赤外線又はレーザの反射変化を前記赤外線又はレーザ発光・受光部が受光しその受光変化と、前記縮尺設定キーにより設定された縮尺とに基づき前記演算制御部によって実寸を演算し、前記実寸を前記表示部に表示するように構成されていることを特徴とする電子スケール。
【請求項４】
前記表示部は、設定された縮尺を実寸と同画面、又は、別画面にて表示するように構成されていることを特徴とする請求項１乃至３のうちいずれか一に記載の電子スケール。
【考案の詳細な説明】
【技術分野】
【０００１】
本考案は、縮尺された寸法を読取って実寸で容易に表示することができる電子スケールに関する。
【背景技術】
【０００２】
此種従来の縮尺された寸法を実寸で表示するスケールとして、例えば三角スケールがある。三角スケールは普段頻繁に使用する専門家であればスムーズに計算が行なえるが、使用に慣れていない場合、活用することが困難である。
又、三角スケールはその縮尺の種類が限られているので、その利用範囲が限定される。
そこで、例えば、特許文献１の如き電子スケールが知られている。
特許文献１は、測定点との位置合わせを行なう測定線または測定点を有するスライドゲージがスライド可能に挿嵌されたスケール本体と、スケール上におけるスライドゲージの位置を検出する位置検出手段と、規準となる間隔の実際の数値を入力する入力手段と、入力手段に入力された実際の数値と規準となる間隔に位置合わせされたスライドゲージの規準位置からの距離とから尺度を設定する設定手段とを具備する電子スケールである。
【特許文献１】特開２００１−１８３１３０号公報
【考案の開示】
【考案が解決しようとする課題】
【０００３】
前述したように、三角スケールは使用に慣れていない場合は、活用することが困難であり、又、その縮尺の種類が限定されており、利用範囲が限定されという問題がある。
又、前記特許文献１の電子スケールは、前述した三角スケールの問題を解決するものであるが、電子スケールのスケールが相当程度の長さを要するため電子スケールが比較的大きくなる虞がある。
【０００４】
以上の現状に鑑み、本考案は、縮尺された寸法を読取って実寸で容易に表示することができる小型の電子スケールを提供することを目的とする。
【課題を解決するための手段】
【０００５】
上記の課題を解決すべく、本考案は以下の構成を提供する。
請求項１に係る考案は、スケール本体と、前記スケール本体に回転自在に設けられるローラと、前記スケール本体の外周部に設けられる表示部と、電源部と、前記スケール本体内に内蔵され、前記表示部及び電源部に接続される演算制御部と、前記演算制御部に接続されると共に前記ローラの回転量を測定するローラ回転量測定部と、前記スケール本体の外周部に設けられると共に前記演算制御部に接続され、縮尺を設定する１乃至複数の縮尺設定キーとを備え、寸法測定を行なう時、測定対象部位上で前記ローラを回転させると、前記ローラの回転量を前記ローラ回転量測定部が測定し、その測定値と、前記縮尺設定キーにより設定された縮尺とに基づき前記演算制御部によって実寸を演算し、前記実寸を前記表示部に表示するように構成されていることを特徴とする電子スケールを提供するものである。
【０００６】
請求項２に係る考案は、スケール本体と、前記スケール本体に回転自在に設けられるボールと、前記スケール本体の外周部に設けられる表示部と、電源部と、前記スケール本体内に内蔵され、前記表示部及び電源部に接続される演算制御部と、前記演算制御部に接続されると共に前記ボールの回転変化量を測定するボール回転変化量測定部と、前記スケール本体の外周部に設けられると共に前記演算制御部に接続され、縮尺を設定する１乃至複数の縮尺設定キーとを備え、寸法測定を行なう時、測定対象部位上で前記ボールを回転させると、前記ボールの回転変化量を前記ボール回転変化量測定部が測定し、その測定値と、前記縮尺設定キーにより設定された縮尺とに基づき前記演算制御部によって実寸を演算し、前記実寸を前記表示部に表示するように構成されていることを特徴とする電子スケールを提供するものである。
【０００７】
請求項３に係る考案は、スケール本体と、前記スケール本体に設けられる赤外線又はレーザ発光・受光部と、前記スケール本体の外周部に設けられる表示部と、電源部と、前記スケール本体内に内蔵され、前記表示部及び電源部に接続される演算制御部と、前記スケール本体の外周部に設けられると共に前記演算制御部に接続され、縮尺を設定する１乃至複数の縮尺設定キーとを備え、寸法測定を行なう時、測定対象部位上で前記赤外線又はレーザ発光・受光部を移動させると、前記赤外線又はレーザの反射変化を前記赤外線又はレーザ発光・受光部が受光しその受光変化と、前記縮尺設定キーにより設定された縮尺とに基づき前記演算制御部によって実寸を演算し、前記実寸を前記表示部に表示するように構成されていることを特徴とする電子スケールを提供するものである。
【０００８】
請求項４に係る考案は、前記表示部は、設定された縮尺を実寸と同画面、又は、別画面にて表示するように構成されていることを特徴とする請求項１乃至３のうちいずれか一に記載の電子スケールを提供するものである。
【考案の効果】
【０００９】
本考案の請求項１記載の考案によれば、縮尺された寸法を読取って実寸で容易に表示することができる小型の電子スケールを提供することができる。又、曲線や折曲線の寸法も読取ることができると共に、測定対象部位の比較的長い寸法も測定することができる。
【００１０】
請求項２記載の考案によれば、請求項１記載の考案の効果に加え、曲線や折曲線を更に円滑に測定できる。
【００１１】
請求項３記載の考案によれば、請求項２記載の考案の効果に加え、光学測定であるので、測定精度が高く、且つ、可動部分がないため、耐久性を向上でき、更に、清掃等のメンテナンスも不要である。
【００１２】
請求項４記載の考案によれば、請求項１乃至３のうちいずれか一に記載の考案の効果に加え、縮尺を表示部に表示することができる。
【考案を実施するための最良の形態】
【００１３】
以下、実施例を示した図面を参照しつつ本考案の実施の形態を説明する。
図１（ａ）は本考案の第１実施例の電子スケールの正面図であり、同図（ｂ）は本考案の第１実施例の電子スケールの左側面図であり、同図（ｃ）は本考案の第１実施例の電子スケールの電気回路図である。
図１に於いて、１は本考案の第１実施例の電子スケールであり、電子スケール１は、合成樹脂製、金属製、或いは木製等の棒状体のスケール本体２と、スケール本体２の一端部に回転自在に設けられるローラ３と、スケール本体２の外周部に設けられる表示部４と、電池又は充電池から成る電源部５と、スケール本体２内に内蔵され、表示部４及び電源部５に接続される演算制御部６と、演算制御部６に接続されると共にローラ３の回転量を測定するローラ回転量測定部７と、スケール本体２の外周部に設けられると共に前記演算制御部６に接続され、縮尺を設定する１乃至複数の縮尺設定キー８，８…とを備えている。
尚、スケール本体２には、図示省略の電源スイッチが設けられる。
【００１４】
又、縮尺設定キー８，８…は、例えば、図１（ａ）に示すように１／１００、１／３００，１／４００、１／５００と設定され、各縮尺設定キー８，８…を押すことにより、その縮尺が夫々適用されるが、４個の縮尺設定キー８，８…で所望の縮尺の種類が不足する場合、或いは、縮尺設定キー８を１個又は少数個しか設けることができない場合は、１個の縮尺設定キー８を複数回押すことにより縮尺の種類を選択するように構成することも可能である。例えば、１個の縮尺設定キー８を１回押せば１／１００、２回押せば１／３００、３回押せば１／４００という具合に設定すれば良い。その時、押した縮尺設定キー８によって設定される縮尺を表示部４に表示する。更に、縮尺として１／１（実寸）を設定することも可能である。
【００１５】
而して、例えば、測定対象の地図等の２地点間の寸法測定を行なう時、先ず、電源スイッチを入れたのち、測定対象の縮尺を縮尺設定キー８，８…の適宜縮尺設定キー８を押して設定し、測定対象部位上でローラ３を回転させると、ローラ３の回転量をローラ回転量測定部７が測定し、その測定値と、縮尺設定キー８により設定された縮尺とに基づき演算制御部６によって実寸を演算し、実寸を表示部４に表示する。その時、表示部４は、図１（ａ）に示す如く、設定された縮尺を、例えば「縮尺１／１００→実寸２５５ｍ」のように、実寸と同画面に表示するか、又は、別画面にて表示する。
尚、測定対象の地図等の２地点間は直線に限定されるものではなく、曲線であっても良く、折曲していても良く、往復の経路を含むものであっても良い。
【００１６】
図２（ａ）は本考案の第２実施例の電子スケールの正面図であり、同図（ｂ）は本考案の第２実施例の電子スケールの左側面図であり、同図（ｃ）は本考案の第２実施例の電子スケールの電気回路図である。
図２に於いて、２１は本考案の第２実施例の電子スケールであり、電子スケール２１は、前記電子スケール（図１に於いて１）のローラ（図１に於いて３）に代えてボール２２を回転自在に設け、ローラ回転量測定部（図１に於いて７）に代えてボール２２の回転変化量を測定するボール回転変化量測定部２３を設けたものである。
【００１７】
而して、例えば、測定対象の地図等の２地点間の寸法測定を行なう時、先ず、電源スイッチを入れたのち、測定対象の縮尺を縮尺設定キー８，８…の適宜縮尺設定キー８を押して設定し、測定対象部位上でボール２２を回転させると、ボール２２の回転変化量をボール回転変化量測定部２３が測定し、その測定値と、縮尺設定キー８により設定された縮尺とに基づき演算制御部６によって実寸を演算し、実寸を表示部４に表示する。
尚、電子スケール２１に於いても、前記測定対象の地図等の２地点間は直線に限定されるものではなく、曲線であっても良く、折曲していても良く、往復の経路を含むものであっても良い。
【００１８】
図３（ａ）は本考案の第３実施例の電子スケールの正面図であり、同図（ｂ）は本考案の第３実施例の電子スケールの左側面図であり、同図（ｃ）は本考案の第３実施例の電子スケールの電気回路図である。
図３に於いて、３１は本考案の第３実施例の電子スケールであり、電子スケール３１は、前記電子スケール（図１に於いて１）のローラ（図１に於いて３）と、ローラ回転量測定部（図１に於いて７）とに代えて赤外線又はレーザ発光・受光部３２を設けたものである。
【００１９】
而して、例えば、測定対象の地図等の２地点間の寸法測定を行なう時、先ず、電源スイッチを入れたのち、測定対象の縮尺を縮尺設定キー８，８…の適宜縮尺設定キー８を押して設定し、測定対象部位上で赤外線又はレーザ発光・受光部３２を移動させると、赤外線又はレーザ発光・受光部３２で受光した赤外線又はレーザの反射変化を赤外線又はレーザ発光・受光部３２が受光しその受光変化と、縮尺設定キー８により設定された縮尺とに基づき演算制御部６によって実寸を演算し、実寸を表示部４に表示する。
尚、電子スケール３１に於いても、前記測定対象の地図等の２地点間は直線に限定されるものではなく、曲線であっても良く、折曲していても良く、往復の経路を含むものであっても良い。
【図面の簡単な説明】
【００２０】
【図１】（ａ）本考案の第１実施例の電子スケールの正面図である。（ｂ）本考案の第１実施例の電子スケールの左側面図である。（ｃ）は本考案の第１実施例の電子スケールの電気回路図である。
【図２】（ａ）本考案の第２実施例の電子スケールの正面図である。（ｂ）本考案の第２実施例の電子スケールの左側面図である。（ｃ）は本考案の第２実施例の電子スケールの電気回路図である。
【図３】（ａ）本考案の第３実施例の電子スケールの正面図である。（ｂ）本考案の第３実施例の電子スケールの左側面図である。（ｃ）は本考案の第３実施例の電子スケールの電気回路図である。
【符号の説明】
【００２１】
１，２１，３１  電子スケール
２  スケール本体
３  ローラ
４  表示部
５  電源部
６  演算制御部
７  ローラ回転量測定部
８  縮尺設定キー
２２  ボール
２３  ボール回転変化量測定部
３２  赤外線又はレーザ発光・受光部
【図１】
0003135176.tif 000003
【図２】
0003135176.tif 000004
【図３】
0003135176.tif 000005